(57)【特許請求の範囲】
【請求項１】
１又は複数のドラグ板を有するフロントドラグ機構を介してスプール軸に連結されリール本体に対して前後移動自在なスピニングリールのスプールであって、
糸巻胴部を有する筒状のスプール本体と、
前記糸巻胴部の前端に装着された大径のフランジ部と、
前記スプール本体の内周面に螺合する筒状の螺合部と、前記螺合部の内周側に間隔を隔てて一体で形成され前記ドラグ板を収納可能な空間を内部に有する筒状のドラグ収納部と、前記螺合部の先端に前記フランジ部に当接可能に設けられた当接部とを有し、前記フランジ部を前記スプール本体に固定するためのフランジ固定部材と、
を備えたスピニングリールのスプール。
【請求項２】
前記糸巻胴部の外径は、前記フランジ部の外径の８０％〜９０％である、請求項１に記載のスピニングリールのスプール。
【請求項３】
前記糸巻胴部の外周面は、軸方向中心部に形成された大径の平坦面と、前記平坦面の両側に形成され端部側が小径な１対のテーパ面とを有する、請求項１又は２に記載のスピニングリールのスプール。
【請求項４】
前記ドラグ収納部は、内周面に前記ドラグ板を抜け止めするための抜け止め部材を係止する環状溝を有する、請求項１から３のいずれかに記載のスピニングリールのスプール。
【請求項５】
前記ドラグ収納部は、内周面に前記ドラグ板の少なくともひとつの外周面を係止するための係止部を有する、請求項１から４のいずれかに記載のスピニングリールのスプール。
【発明の詳細な説明】
【０００１】
【発明の属する技術分野】
本発明は、スプール、特に、１又は複数のドラグ板を有するフロントドラグ機構を介してスプール軸に連結されリール本体に対して前後移動自在なスピニングリールのスプールに関する。
【０００２】
【従来の技術】
ドラグ機構を備えたスピニングリールのスプールは、ドラグ機構を介してスプール軸の先端に連結されている。この種のスプールにおいて、前端に配置されたフランジ部が取替可能にスプール本体に固定されたものが知られている。このスプールは、糸巻胴部を有するスプール本体と、糸巻胴部の前端に着脱自在に装着された大径のフランジ部と、スプール本体の内周面に螺合してフランジ部をスプール本体に固定するためのフランジ固定部材とを有している。糸巻胴部の内部には、ドラグ機構の円板状のドラグ板を収納するための円筒状のドラグ収納空間が形成されている。ドラグ板が１枚の場合、ドラグ板は、通常、スプール軸に回転不能に係止されている。また、ドラグ板が複数枚の場合、スプール軸に回転不能に係止されているものと糸巻胴部の内周面に回転不能に係止されているものとが交互に配置されている。
【０００３】
最近、細い釣り糸を比較的短い所定長さだけ巻き付けることができるようにするとともに、釣り糸に巻き癖がつきにくくするために浅溝化されたスプールが開発されている。浅溝化されたスプールは、通常のスプールと比較してフランジ部の直径に対して糸巻胴部の直径が相対的に大きくなっており、フランジ部と糸巻胴部との直径の差が小さくなっている。
【０００４】
【発明が解決しようとする課題】
前記従来の浅溝化されたスプールにおいて、糸巻胴部の内周部にドラグ収納空間を設ける場合、ドラグ性能を適正に維持しようとすると、糸巻胴部の肉厚が厚くなるという問題が生じる。すなわち、ドラグ力はあまり強くても弱くても使いづらく使用する釣り糸に応じた適正の範囲がある。このドラグ力は主にドラグ板の外径に依存するため、肉厚を薄くするためにドラグ収納空間を大きくしてドラグ板の外径を大きくすると、ドラグ力が強くなり過ぎて適度なドラグ力を得ることができない。したがって、ドラグ性能を適正に維持しようとすると、ドラグ収納空間の大きさを大きくすることができず、糸巻胴部の肉厚が厚くなる。糸巻胴部の肉厚が厚くなると、スプールの重量が増加し、リールの軽量化が妨げられる。
【０００５】
本発明の課題は、適正なドラグ性能を維持してスプールの軽量化と浅溝化とを図れるようにすることにある。
【０００６】
【課題を解決するための手段】
発明１に係るスピニングリールのスプールは、１又は複数のドラグ板を有するフロントドラグ機構を介してスプール軸に連結されリール本体に対して前後移動自在なスプールであって、筒状のスプール本体と、大径のフランジ部と、フランジ固定部材とを備えている。スプール本体は糸巻胴部を有している。フランジ部は糸巻胴部の前端に装着されている。フランジ固定部材は、スプール本体の内周面に螺合する筒状の螺合部と、螺合部の内周側に間隔を隔てて一体で形成されドラグ板を収納可能な空間を内部に有する筒状のドラグ収納部と、螺合部の先端にフランジ部に当接可能に設けられた当接部とを有し、フランジ部をスプール本体に固定するための部材である。
【０００７】
このスピニングリールのスプールでは、ドラグ板を収納する空間は、糸巻胴部ではなく、フランジ固定部材のドラグ収納部に設けられている。このドラグ収納部は、糸巻胴部の内周面に螺合する螺合部の内周側に螺合部と間隔を隔てて一体で形成されているので、その内径は糸巻胴部の内径より小さい。このため、糸巻胴部の外径を大きくして浅溝化しても、糸巻胴部の肉厚を厚くすることなく、ドラグ収納空間の大きさを従来と同じ大きさに維持することができる。また、フランジ固定部材の筒状の螺合部とドラグ収納部との間には空間が形成されているので、軽量化を図ることができる。このため、適正なドラグ性能を維持してスプールの軽量化と浅溝化とを図ることができる。
【０００８】
発明２に係るスピニングリールのスプールは、発明１に記載のスプールにおいて、糸巻胴部の外径は、フランジ部の外径の８０％〜９０％である。この場合には、浅溝化されたスプールに細い釣り糸を巻き癖しにくく巻き付けできる。
発明３に係るスピニングリールのスプールは、発明１又は２に記載のスプールにおいて、糸巻胴部の外周面は、軸方向中心部に形成された大径の平坦面と、平坦面の両側に形成され端部側が小径な１対のテーパ面とを有する。この場合には、端部が中心部より小径であるので、端部付近でスプールの移動速度が遅くなっても、細い釣り糸を糸巻胴部に略均一に巻き付けることができる。
【０００９】
発明４に係るスピニングリールのスプールは、発明１から３のいずれかに記載のスプールにおいて、ドラグ収納部は、内周面にドラグ板を抜け止めするための抜け止め部材を係止する環状溝を有する。この場合には、ドラグ板が抜け止めされるので、スプールをスプール軸から取り外してもドラグ板がスプール収納された状態で脱落しない。
発明５に係るスピニングリールのスプールは、発明１から４のいずれかに記載のスプールにおいて、ドラグ収納部は、内周面にドラグ板の少なくともひとつの外周面を係止するための係止部を有する。この場合には、複数枚のドラグ板のいずれかをフランジ固定部材に回転不能に係止できる。
【００１０】
【発明の実施の形態】
図１において、本発明の一実施形態を採用したスピニングリールは、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１１】
リール本体２は、リールボディ２ａと、リールボディ２ａから斜め上前方に延びる竿取付脚２ｂとを有している。リールボディ２ａは、図２に示すように内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
ロータ駆動機構５は、ハンドル１が固定されたハンドル軸１０とともに回転するフェースギア１１と、このフェースギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、それぞれ軸受１４ａ，１４ｂを介してリール本体２に回転自在に支持されている。
【００１２】
オシレーティング機構６は、トラバースカム方式の機構であり、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００１３】
ロータ３は、図２に示すように、円筒部３０と、円筒部３０の側方に互いに対向して設けられた第１及び第２ロータアーム３１，３２とを有している。円筒部３０と両ロータアーム３１，３２とは、たとえばアルミニウム合金製であり一体成形されている。
円筒部３０の前部には前壁３３が形成されており、前壁３３の中央部にはボス部３３ａが形成されている。ボス部３３ａの中心部には貫通孔が形成されており、この貫通孔をピニオンギアの前部１２ａ及びスプール軸１５が貫通している。前壁３３の前部にナット１３が配置されており、ナット１３の内部にスプール軸１５を回転自在に支持する軸受３５が配置されている。
【００１４】
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
第２ロータアーム３２は、円筒部３０から外方に凸に湾曲して前方に延びている。第２ロータアーム３２は、先端部から円筒部３０との接続部分に向けて２股に分岐しており、円筒部３０と周方向に間隔を隔てた２カ所で接続されている。第２ロータアーム３２の先端内周側には、第２ベール支持部材４２が揺動自在に装着されている。
【００１５】
ラインローラ４１と第２ベール支持部材４２との間には線材を略Ｕ状に湾曲させた形状のベール４３が固定されている。これらの第１及び第２ベール支持部材４０，４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
ロータ３の円筒部３０の内部にはロータ３の逆転を禁止・解除するための逆転防止機構５０が配置されている。逆転防止機構５０は、図２に示すように、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００１６】
スプール４は、ロータ３の第１ロータアーム３１と第２ロータアーム３２との間に配置されており、スプール軸１５の先端にドラグ機構６０を介して装着されている。スプール４は、外周に釣り糸が巻かれる筒状の糸巻胴部４ａと糸巻胴部４ａの後部に一体で形成された大径筒状のスカート部４ｂとを有するスプール本体７と、糸巻胴部４ａの前端に装着された大径のフランジ部８と、フランジ部８をスプール本体７に固定するためのフランジ固定部材９とを有している。
【００１７】
スプール本体７は、たとえばアルミニウム合金を鍛造成形して得られた大小２段の円筒状の部材であり、２つの軸受５６，５７によりスプール軸１５に回転自在に装着されている。
糸巻胴部４ａは、筒状部１６と筒状部１６の内周側に一体形成された円板部１７と円板部１７の内周側に形成された１対のボス部１８ａ，１８ｂとを有している。筒状部１６の外周面は、図３に示すように、スプール軸芯Ｘと平行なストレートな円周面１６ａと、円周面１６ａの両端から徐々に縮径する１対のテーパ面１６ｂ，１６ｂと、前側のテーパ面１６ｂの先端に形成された突起部１６ｃとで構成されている。円周面１６ａは、筒状部１６の軸方向の中心に形成され、１対のテーパ面１６ｂは、その両側に同じ軸方向長さで形成されている。筒状部１６ａの周面には、たとえば断面が三角形状の多数の環状溝１６ｅが軸方向に間隔を隔てて形成されている。筒状部１６ａの内周面には、フランジ固定部材９を装着するための雌ネジ部１６ｄが形成されている。ボス部１８ａ，１８ｂの内周部には軸受５６，５７が装着されている。突起部１６ｃは、フランジ固定部材９とでフランジ部８を挟持するために設けられている。
【００１８】
図４に示すように、糸巻胴部４ａの円周面１６ａの直径Ｄ１は、フランジ部８の直径Ｄ２の７５％〜９５％の範囲であり、好ましくは８０％〜９０％の範囲である。また、直径Ｄ１は糸巻胴部４ａ全体の軸方向の長さＬの４５％〜１２０％である。円周面１６ａの軸方向長さＬ１は糸巻胴部４ａ全体の軸方向長さＬの２５％〜７５％の範囲である。さらに、テーパ面１６ｂの最小径Ｄ３は最大径Ｄ１の９０％〜９９％の範囲である。
【００１９】
糸巻胴部４ａの形状を上記数値範囲に限定するにより、糸巻胴部４ａの直径がフランジ部８に対して相対的に大きな浅溝化されたスプール４を実現でき、細い釣り糸を所定長だけ巻き付けできるとともに釣り糸に巻き癖がつきにくくなる。また、略ストレートな形状の糸巻胴部４ａにトラバースカム方式のオシレーティング機構６により釣り糸を巻き付けたときにスプール４が移動端で減速しても、両端にテーパ面１６ｂが形成されているので、糸巻胴部４ａの両端で糸巻形状が変化しにくくなり周面を平坦化できる。
【００２０】
また、キャスティング時には、糸巻胴部４ａの直径がフランジ部８に対して相対的に大きいので、糸巻胴部４ａが軸芯に略平行なストレートな形状であっても放出抵抗は少ない。しかも、先細りにするよりは放出抵抗があるので釣り糸が一度に放出されるバックラッシュ現象も防止できる。このため、釣り糸の材質に係わらず釣り糸を巻き付けることができる。
スカート部４ｂは、ロータ３の円筒部３０を覆うように筒状に糸巻胴部４ａと一体で鍛造形成されている。
【００２１】
フランジ部８は、外周に行くほど前方に傾斜しかつその傾斜角度αが７度以下になるように形成された金属製または硬質セラミック製の傷つきにくい円板状の部材である。フランジ部８は、糸巻胴部４ａの内周面の雌ネジ部１６ｄに螺合するフランジ固定部材９により糸巻胴部４ａとの間に挟持されて固定されている。フランジ固定部材９は、スプール本体の内周面に形成された雌ネジ部１６ｄに螺合する筒状の螺合部９ａと、螺合部９ａの内周側に一体で形成されドラグ機構６０のドラグ板（後述）６２ａ〜６２ｅを収納可能な空間を内部に有する筒状のドラグ収納部９ｂと、螺合部９ａの先端にフランジ部８に当接可能に設けられた当接部９ｃとを有している。
【００２２】
螺合部９ａの外周面には、筒状部１６ａの内周面に形成された雌ネジ部１６ｄに螺合する雄ネジ部９ｄが形成されている。ドラグ収納部９ｂは、螺合部９ａの内周側に螺合部９ａと同芯に配置されており、その後端は円板部１７に近接する位置まで延びている。ドラグ収納部９ｂの内周面には、ドラグ板６２ａ〜６２ｅを抜け止めするためのたとえば５角形に折り曲げられたバネ部材６５を装着するための環状のバネ装着溝９ｅが形成されている。バネ装着溝９ｅの後部には、ドラグ板６２ｃを回転不能に係止するための係止溝９ｆ，９ｆが軸方向に沿って１対形成されている。当接部９ｃは、螺合部９ａとドラグ収納部９ｂとを連結するとともにフランジ部８を固定するための略円板状の部材である。当接部９ｃの外周側部分は、先細り円錐形状であり、その後端面がフランジ部８に当接している。
【００２３】
ドラグ機構６０は、スプール４とスプール軸１５との間に装着されスプール４にドラグ力を作用させるための機構である。ドラグ機構６０は、ドラグ力を手で調整するためのつまみ部６１と、つまみ部６１によりスプール４側に押圧される複数枚のドラグ板６２ａ〜６２ｅを含む摩擦部６２とを有している。つまみ部６１は、発音機構６１ａとスプール軸１５に螺合するナット６１ｂとを内部に有している。ドラグ板６２ａは、スプール軸１５に回転不能に係止され、つまみ部６１に接触する金属製の円板部材である。ドラグ板６２ｂ，６２ｄは、たとえばフェルト製の円板部材である。ドラグ板６２ｃは、外周部分に係止溝９ｆ，９ｆに係止される係止突起を有する金属製の円板部材であり、フランジ固定部材９とともに回転する。ドラグ板６２ｅは、スプール軸１５に回転不能に係止された金属製の円板部材であり、その後端部に発音機構６４が装着されている。発音機構６４は、ドラグが作動してスプール軸１５とスプール４とが相対回転すると発音する。
【００２４】
〔リールの操作及び動作〕
キャスティング時にはベールアーム４４を糸開放姿勢に反転させる。これにより第１ベール支持部材４０及び第２ベール支持部材４２は揺動する。この状態で釣り竿を握る手の人差し指で釣り糸を引っかけながら釣り竿をキャスティングする。すると釣り糸は仕掛けの重さにより勢いよく放出される。仕掛けが着水した後ハンドル１を糸巻取方向に回転させると、ロータ駆動機構５によりロータ３が糸巻取方向に回転し、ベールアーム４４がベール反転機構（図示せず）により糸巻取位置に復帰しロータ３の逆転が禁止されているので釣り糸の放出が止まる。このキャスティング時に、太さが細いナイロン素材の釣り糸の場合には、スプール４の糸巻胴部４ａの直径がフランジ部８に対して相対的に大きいので、糸巻胴部４ａがストレートな円周面であっても放出抵抗は少なくなる。また、ポリエチレン素材の釣り糸の場合には、先細り形状のスプールに比べて放出抵抗が大きくなるのでバックラッシュが生じにくくなる。
【００２５】
釣り糸を巻き取る際には、ハンドル１を糸巻取方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。このとき、スプール４の糸巻胴部４ａが略ストレートなため、先細りテーパ状の糸巻胴部に比べて釣り糸の糸巻き形状がくずれにくくなる。とくに、スプール４に釣り糸を密に巻き付ける場合には、糸巻き形状がくずれにくくなるため、釣り糸を巻き付けやすくなる。しかも、両端にテーパ面１６ｂを形成したので、スプール４が移動端で減速しても糸巻形状を平坦化できる。
【００２６】
巻取途中に魚の引きによりドラグが作動しても、ドラグ板６２ａ〜６２ｅの直径が適当な大きさであるため、適正なドラグ性能が維持され、魚を取り込みやすくかつ細い釣り糸を使用しても釣り糸が切れにくくなる。
〔他の実施形態〕
（ａ）前記実施形態では、円周面１６ａの両側に同じ長さのテーパ面１６ｂを配置したが、スプールの移動速度が前後進で異なるオシレーティング機構を採用したとき等では、１対のテーパ面１６ｂの長さを異なる長さにしてもよい。
【００２７】
（ｂ）前記実施形態では、スカート部がロータの円筒を覆うような構成のスプールであったが、投げ釣り専用のスピニングリールのように糸巻胴部がロータの円筒部を覆うような構成のスプールにも本発明を適用できる。
（ｃ）  前記実施形態では、複数枚のドラグ板のうち１枚のドラグ板をスプール側に回転不能に設け、他をスプール軸側に回転不能に設けたが、１枚のドラグ板をスプール軸側に回転不能に設けてもよい。
【００２８】
【発明の効果】
本発明によれば、ドラグ板を収納する空間は、糸巻胴部ではなく、フランジ固定部材のドラグ収納部に設けられている。このドラグ収納部は、糸巻胴部の内周面に螺合する螺合部の内周側に螺合部と間隔を隔てて一体で形成されているので、その内径は糸巻胴部の内径より小さい。このため、糸巻胴部の外径を大きくして浅溝化しても、糸巻胴部の肉厚を厚くすることなく、ドラグ収納空間の大きさを従来と同じ大きさに維持することができる。また、フランジ固定部材の筒状の螺合部とドラグ収納部との間には空間が形成されているので、軽量化を図ることができる。このため、適正なドラグ性能を維持してスプールの軽量化と浅溝化とを図ることができる。
【図面の簡単な説明】
【図１】本発明の一実施形態によるスピニングリールの右側面図。
【図２】その左側面断面図。
【図３】そのスプール部分の断面拡大図。
【図４】スプールの寸法関係を示す模式図。
【符号の説明】
２  リール本体
４  スプール
４ａ  糸巻胴部
１６ａ  円周面
１６ｂテーパ面
７  スプール本体
８  フランジ部
９  フランジ固定部材
９ａ  螺合部
９ｂ  ドラグ収納部
９ｃ  当接部
９ｅ  バネ装着溝
９ｆ  係止溝
【図１】
0004002356.tif 000002
【図２】
0004002356.tif 000003
【図３】
0004002356.tif 000004
【図４】
0004002356.tif 000005